(57)【要約】【課題】簡易な構成により、長いコードや複数のコード等をすっきりと収納出来るようにする。【解決手段】少なくとも一端側が机Ｄのコーナ部または壁面等に止め付け可能で且つ中間部が折り畳み可能な基板２の内側面に多数の突状物３を設け、コードＣを突状物３の間に差し込んで通すとともに、折り畳み部２ｔを折り畳むことにより、コードＣを包み込むように収納する。また、基板２と突状物３を樹脂等で一体に成形する。【選択図】        図１
2004254373.tif 000002
【特許請求の範囲】
【請求項１】
少なくとも一端側が机のコーナ部または壁面等に止め付け可能で且つ中間部が折り畳み可能な基板と、この基板の折り畳み時の内側面に突設される多数の突状物を備えたことを特徴とするコード収納具。
【請求項２】
前記基板と突状物は一体に成形されていることを特徴とする請求項１記載のコード収納具。
【請求項３】
前記基板は、任意の箇所で切断可能な素材から形成されることを特徴とする請求項１又は請求項２に記載のコード収納具。
【発明の詳細な説明】
【０００１】
【発明の属する技術分野】
本発明は、例えばパソコンや電話等のコードを簡易に見栄え良く収納するための収納具に関する。
【０００２】
【従来の技術】
従来、パソコンや事務用電気機器等の普及に伴って、図５に示すように、事務用机Ｄ等の周辺にコードＣ類が多くなり、これが整理されないで放置されていると、足に絡んで仕事の集中力を阻害したり、足に引掛けてコンセントから抜け出て機器が停止したりする等の不具合があるため、例えば、ボックス状の収納ケースに複数の導出孔を設けるような技術や（例えば、特許文献１参照。）、左右二つ割りに開閉自在なケース本体の両端部にコード１本分を通すことの出来る通路を設けるような技術（例えば、特許文献２参照。）が知られている。
【０００３】
【特許文献１】
特開２００１−１６１０２０号公報
【特許文献２】
特開２００１−３２６４７６号公報
【０００４】
【発明が解決しようとする課題】
ところが、上記技術はいずれもハードケースやボックスであり、汎用性に欠けるとともに、床面等にスペースを必要とし、見栄えもあまり良くなかった。
【０００５】
そこで本発明は、簡易な構成により長いコードや複数のコード等をすっきりと収納出来るようにすることを目的とする。
【０００６】
【課題を解決するための手段】
上記目的を達成するため本発明は、少なくとも一端側が机のコーナ部または壁面等に止め付け可能で且つ中間部が折り畳み可能な基板と、この基板の折り畳み時の内側面に突設される多数の突状物からなるコード収納具を設けた。
【０００７】
そして、机のコーナ部または壁面等に基板の一端部を固定した後、突状物と突状物の間にコードを差し込んだ状態にして基板の中間部を折り畳み、基板の他端側を一端側の近傍に固定することにより、コードを包み込むように拘束した状態で収納する。
この際、突状物は包み込まれるコードを所定の位置に拘束する役割を果たし、例えば長いコードでも蛇行させて収納可能となるばかりでなく、複数本のコードを所定位置に拘束して収納出来るようになり、例えば、基板を縦向き姿勢にして折り畳み部を下方に位置させても、すべてのコードが折り畳み部内に落ちて溜まり込むような不具合がない。
また、このようなコード収納具は、例えば隣接する机の間とか、目立たない壁面等にぶら下げておくことにより、すっきりと収納することが出来る。
尚、突状物の形状や、高さや、間隔等は任意であるが、少なくとも隙間にコードを差し込ませることが出来て、コードを係止出来るような形態にすることが好ましい。
【０００８】
また本発明では、前記基板と突状物を一体に成形するようにした。
このように基板と突状物を一体に成形すれば、例えば樹脂等を使用して型成形することにより容易に且つ安価に成形出来るようになる。
【０００９】
また本発明では、前記基板を、任意の箇所で切断可能な素材から形成するようにした。
このように任意の箇所で切断出来るようにしておけば、例えば収納するコードの長さや、本数等に応じて最適のサイズに切断して使用出来るようになり、収納箇所の増減に対応出来る。
【００１０】
【発明の実施の形態】
本発明の実施の形態について添付した図面に基づき説明する。
ここで図１は本発明に係るコード収納具の一例を示す説明図、図２は基板を切断可能にした場合の説明図、図３はコードの収容状態を示す説明図、図４は別構成例図である。
【００１１】
本発明に係るコード収納具は、長いコードや複数のコード等をあまり目立たない箇所にすっきりと収納出来るようにされ、例えば、机のコーナ部や壁面等に止め付け可能にされている。
【００１２】
すなわち、図１に示すように、本コード収納具１は、両端側に机のコーナ部または壁面等に止め付けるための止め付け部２ａが形成される基板２と、この基板２の片側面に突設される多数の突状物３を備えており、この基板２の中間部は、折曲げ部２ｔとして折り畳み可能にされるとともに、前記突状物３は、基板２の折曲げの内側面に設けられている。
そして実施例では、この基板２と突状物３は樹脂等から一体に成形されており、突状物３の突設間隔は、お互いの間にコードＣを通すことが出来るような間隔にされるとともに、突状物３の高さや剛性は、コードＣを通した状態で基板２を縦向きにした場合でも、コードＣが突状物３から外れ落ちないで係止出来る程度のものとしている。
【００１３】
基板２の止め付け部２ａは、机のコーナ部や壁面等に、接着や粘着や磁着やその他の任意の手段で固定出来るようにされており、この実施例では、基板２の折り畳みの外側面の両端周縁部を机のコーナ部に接着または粘着等により止め付け可能にしている。
【００１４】
以上のようなコード収納具１において、図２に示すように、基板２の両端の止め付け部２ａを隣接する一対の机Ｄのコーナ部に止め付けた後、例えば、複数のコードＣの場合は、図１（ａ）に示す状態で、長いコードＣの場合は、図１（ｂ）に示すように蛇行させながら通し、机Ｄを寄せ合うことにより基板２でコードＣを包み込むように収納する。すると、コード収納具１は机と机の間からぶら下がるような状態となり、目立たない箇所にすっきりと収納される。
【００１５】
ところで、以上のようなコード収納具１において、図２に示すように、基板２を任意の箇所で切断し得る素材から形成することにより、例えばコードＣの長さや、コードＣの本数等に応じて最適のサイズに切断して使用したり、収納支持箇所を複数箇所にしたりすることが出来るようになる。
このため、予め基板２の所定箇所に切断しやすい薄肉部や、ミシン目等を形成しておき、格別な切断具を使用しなくても切断出来るようにしておいても良い。
【００１６】
また、図４は基板２の止め付け部２ａの止め付け構造を異ならせた別構成例図であり、この構成例では、基板２の一端側だけを机Ｄのコーナ部または壁面等に止め付け可能にするとともに、他端側は、面ファスナ等によって止め付け部２ａの上に重ね合わせて留め付け可能にされており、止め付け部２ａの内側面及び他端側の内側面にそれぞれ一対の面ファスナ等を取り付けている。
【００１７】
そして、前記例と同様に、折り畳みの内側面の突状物３の間にコードＣを通し、中間の折り畳み部２ｔを折り畳んで、他端側を止め付け部２ａの上に重ね合わせて面ファスナを係着させれば、コードＣは基板２内に包み込まれた状態で収納され、コード収納具１は机の端からぶら下がるような形態となる。
【００１８】
尚、本発明は以上のような実施形態に限定されるものではない。本発明の特許請求の範囲に記載した事項と実質的に同一の構成を有し、同一の作用効果を奏するものは本発明の技術的範囲に属する。
例えば、基板２の止め付け部２ａを壁面等に固定するようにしても良く、また突状物３の形状等は任意である。
【００１９】
【発明の効果】
以上のように本発明に係るコード収納具は、長いコードや多数のコードが複雑に絡み合って乱雑になるのを防止することが出来、目立たない箇所にすっきりと収納出来るので便利である。
【図面の簡単な説明】
【図１】本発明に係るコード収納具の一例を示す説明図
【図２】基板を切断可能にした場合の説明図
【図３】コードの収容状態を示す説明図
【図４】別構成例図
【図５】コードの散乱状態を示す従来図
【符号の説明】
１…コード収納具、２…基板、２ｔ…折り畳み部、３…突状物、Ｃ…コード。
【図１】
2004254373.tif 000003
【図２】
2004254373.tif 000004
【図３】
2004254373.tif 000005
【図４】
2004254373.tif 000006
【図５】
2004254373.tif 000007